(57)【要約】      （修正有）【課題】平面視凹凸状側壁を有するISO規格コンテナの天板の厚みがそのまま露出する天板に係合固定可能な架台固定金具を具備する国際標準化機構規格コンテナ屋太陽光パネル設置台及びその接合部材を提供する。【解決手段】並置される基本部材上に複数の太陽光パネルが裁置される太陽光パネル設置台であって、前記基本部材は、(1)前記規格コンテナの凹凸状側壁の凹部の天板露出部にコンテナの両側から嵌入して固定するコンテナ天板固定係止部と、(2)両端下に前記コンテナ天板係止部を有し、上記コンテナの幅方向に配置する上部溝開口のC型チャンネル材の固定レール部と、(3)太陽光パネルを裁置し、前記固定レール部材上中央に側面視山型状の傾斜の上部溝開口のC型チャンネル材の太陽光パネル設置材と、(4)当該太陽光パネル設置材上で裁置する太陽光パネルの両端を把持するパネル固定部材とからなる。【選択図】図１
2019004545.tif 000002
【特許請求の範囲】
【請求項１】
並置される基本部材上に複数の太陽光パネルが裁置される太陽光パネル設置台であって、
前記基本部材は、
(1)前記規格コンテナの凹凸状側壁の凹部の天板露出部にコンテナの両側から嵌入して固定するコンテナ天板固定係止部と、
(2)両端下に前記コンテナ天板係止部を有し、上記コンテナの幅方向に配置する上部溝開口のC型チャンネル材の固定レール部と、
(3)太陽光パネルを裁置し、前記固定レール部材上中央に側面視山型状の傾斜の上部溝開口のC型チャンネル材の太陽光パネル設置材と、
(4)当該太陽光パネル設置材上で裁置する太陽光パネルの両端を把持するパネル固定部材と、
からなる国際標準化機構規格コンテナ屋太陽光パネル設置台。
【請求項２】
並置される前記基本部材と、当該基本部材のの中央部間を接合する上部溝開口のC型チャンネル材の接合部材と、
からなる請求項１に記載の国際標準化機構規格コンテナ屋太陽光パネル設置台。
【請求項３】
上部溝開口のC型チャンネル材の固定レール部材及び前記(3)(4)を備えて並置される基本部材と、
(5)前記固定レール部材下に配置される陸屋根接着固定用の緩衝材と、
からなる陸屋根設置太陽光パネル設置台。
【請求項４】
並置される請求項３に記載の基本部材と、
当該基本部材の中央部間を接合する上部溝開口のC型チャンネル材の接合部材と、からなる請求項３に記載の陸屋根設置太陽光パネル設置台。
【請求項５】
並置される請求項３に記載の基本部材と、
(6)前記固定レール部材の各両端間及び／又は中央下部間を接合する上部溝開口のC型チャンネル材の接合部材又は両端下切削側面視π形状の上部溝開口のC型チャンネル材の下部接合部材と、
(7)前記固定レール部材下及び前記π形状の下部接合部材下の陸屋根間に配置される陸屋根接着固定用の緩衝材と、からなる請求項３又は請求項４のいずれかに記載の陸屋根設置太陽光パネル設置台。
【請求項６】
上部溝開口のC型チャンネル材の固定レール部材及び固定レール部材上に複数の太陽光パネルを同傾斜で延長上に裁置する２本の同一長さの上部溝開口のC型チャンネル材の太陽光パネル設置材並びに前記(4)を備えて並置される基本部材と、
からなる片傾斜陸屋根設置太陽光パネル設置台。
【請求項７】
並置される請求項６に記載の基本部材と、
当該基本部材の中央部間を接合する上部溝開口のC型チャンネル材の接合部材と、からなる請求項６に記載の片傾斜陸屋根設置太陽光パネル設置台。
【請求項８】
並置される請求項６に記載の基本部材と、
(6)前記固定レール部材の各両端間及び／又は中央下部間を接合する上部溝開口のC型チャンネル材の接合部材又は両端下切削側面視π形状の上部溝開口のC型チャンネル材の下部接合部材と、
(7)前記固定レール部材下及び前記π形状の下部接合部材下の陸屋根間に配置される陸屋根接着固定用の緩衝材と、
からなる請求項７又は請求項８のいずれかに記載の片傾斜陸屋根設置太陽光パネル設置台。
【請求項９】
太陽光パネル設置材上で裁置する太陽光パネルの両端を把持する前記パネル固定部材が、両端で２枚の太陽光パネルを同時に把持可能な断面両手鍋型状のパネル固定部材である請求項６ないし請求項８のいずれかに記載の片傾斜陸屋根設置太陽光パネル設置台。
【発明の詳細な説明】
【技術分野】
【０００１】
本発明は、国際標準化機構規格コンテナ屋に太陽光発電パネルを設置するための設置台及びその基本部材を使用する太陽光パネル設置台に関する。
【背景技術】
【０００２】
国際標準化機構規格(以下「ISO規格」）コンテナとは、輸送効率のため、その縦横高さの寸法が国際的に規格化されたコンテナをいい、長さ２０フィート (6,096mm)コンテナ及び４０フィート (12,192mm) の２種類があるが、その幅は８フィート (2,438mm)、高さは８フィート６インチ (2,591mm)に規格化されている。
本願発明者は、かつて、この種の規格コンテナ屋(コンテナの天板上）に裁置する太陽光パネル設置台について、実用新案登録第３１８９９９８号を提案している(考案名称「貨物コンテナ用太陽光発電パネル設置台」、実用新案登録出願日：平成２６年１月２８日、実用新案登録日：平成２６年３月１９日）。
【０００３】
実用新案登録第３１８９９９８号の開示は、考案名称上記「貨物コンテナ用太陽光発電パネル設置台」において、「一定期間コンテナヤード等に留め置かれる貨物コンテナについて、その留め置かれる期間中の太陽光に晒されるコンテナの天板上に設置及び取り外しが可能な貨物コンテナ用太陽光発電パネル設置台を提供せんとする」考案解決課題において(同公報明細書段落番号０００７等参照）、「ISO規格の貨物コンテナの天板の四隅に設けられる横長の開口に対応する横長開口を底部ベース板四隅に設けた」構成とすることにより(同公報実用新案登録請求の範囲の請求項１の記載等参照）、「所定の広さの土地やコンテナ船上の太陽光下で一定期間止め置かれる貨物コンテナの屋根に設置及び取り外しが自在な太陽光発電パネル設置台とすることにより、貨物コンテナの屋根に設置及び取り外しが自由な太陽光発電パネル設置台を提供することができ、同設置台により、所定期間放置されるコンテナを利用した太陽光発電を可能とし、さらには、発電した電力の効率的売電を可能とする」等の特有の効果を奏するものである(同公報明細書段落番号０００９参照）。
【０００４】
図８は、実用新案登録第３１８９９９８号公報添付図８として、ISO規格の２０フィートコンテナの概略を示す図であり、符号１００は、コンテナ、１０１は、天板（屋根）、１０２は、前記天板（屋根）１０１の四隅に設けられる横長の開口（コーナーポケット）である。また、図９は、同規格コンテナ１００の天板(屋板）上に設置される実用新案登録第３１８９９９８号の開示考案の実施例１を示す概略図である。
【０００５】
図９において、１１１は、実用新案登録第３１８９９９８号に開示考案の実施例１に係る貨物コンテナ用太陽光発電パネル設置台、１１２は、ベース板、１１３、１１３、１１３・・・は、太陽光発電パネル、１１４は、カバー、１１５，１１５，１１５、・・・は、間カバー、１１６、１１６、１１６、１１６は、吊り下げ孔であり、その下部には、前記規格コンテナ１００の天板１０１の四隅のコーナーポケット１０２に係合するツイストロック(図示外）が配置される。そして、規格コンテナ１００の吊り下げ移動するスプレッダ(図示外）が前記吊り下げ孔１１６、・・・に係合されて吊り下げられ、前記ツイストロックが前記コーナーポケットに挿入されるとロックピン(図示外)が作動して当該設置台がコンテナ屋に固定される（なお、符号は、先行技術であることを明らかにするために、本願出願人において、３桁に変更して説明した。）。
【０００６】
しかしながら、コンテナヤード等に一時的に配置されるコンテナ屋に設置がくり返される太陽光パネル設置台はともかく、かなりの長い間、コンテナ屋に設置しておく太陽光パネル設置台にあっては、必ずしも前記ツイストロックの如き高額で複雑な係合固定具を必要としない。
【０００７】
そこで、本願発明者は、前述のツイストロックのような特殊な固定具を必要としなくても、容易に複数の太陽光パネルを規格コンテナ屋に設置可能とする国際標準化機構規格コンテナ屋太陽光パネル設置台を案出するに至った。すなわち、本願発明者は、前記規格コンテナ１００の長さ方向の側壁形状が平面視所定の凹凸状に形成されているにも拘わらず、その部分の天板は前記側面凹部に対し天板の厚さがそのまま露出していることに着目し、規格コンテナ１００の側面凹部天板部に嵌合して、その天板の側面の露出厚さに挟み込んで複数の太陽光パネルの設置可能な国際標準化機構規格コンテナ屋太陽光パネル設置台としたものである。
【０００８】
つまり、前記規格コンテナ１００を仔細に検討すると、規格コンテナ１００は、側面の強度を維持するためにその奥行き方向側壁１００ａ(図示外）は、平面視凹凸状に形成され、この凹凸状側壁１００ａ(図示外）が所定厚の前記天板１０１と接合される構造であり、当該天板１０１と凹凸状側壁１００ａの接合部では、凸部においては側壁１００ａの面と一致するが、凹部においては、前記天板１０１の厚さがそのまま露出されている。
【０００９】
そこで、本願発明は、規格コンテナ１００の幅に長さを等しくし、かつ、両端に前記天板１０１の側部凹部に露出するコンテナ天板に固定する固定具を備えた国際標準化機構規格コンテナ屋太陽光パネル設置台及びその接合部材を提供せんとするものである。
【先行技術文献】
【特許文献】
【００１０】
【特許文献１】実用新案登録第３１８９９９８号
【発明の概要】
【発明が解決しようとする課題】
【００１１】
本願発明は、国際標準化機構（ＩＳＯ：International Organization for Standardization）規格コンテナ１００のコンテナ屋上に複数枚の太陽光発電パネルの設置を可能とするISO規格コンテナ屋太陽光パネル設置台であって、平面視凹凸状側壁１００ａを有するISO規格コンテナ１００の天板の厚みがそのまま露出する天板に係合固定可能な架台固定金具を具備する国際標準化機構規格コンテナ屋太陽光パネル設置台及びその接合部材を提供することを目的とする。
【課題を解決するための手段】
【００１２】
上記課題を解決するために本願請求項１に係る国際標準化機構規格コンテナ屋太陽光パネル設置台の発明は、並置される基本部材上に複数の太陽光パネルが裁置される太陽光パネル設置台であって、前記基本部材は、(1)前記規格コンテナの凹凸状側壁の凹部の天板露出部にコンテナの両側から嵌入して固定するコンテナ天板固定係止部と、(2)両端下に前記コンテナ天板係止部を有し、上記コンテナの幅方向に配置する上部溝開口のC型チャンネル材の固定レール部と、(3)太陽光パネルを裁置し、前記固定レール部材上中央に側面視山型状の傾斜の上部溝開口のC型チャンネル材の太陽光パネル設置材と、(4)当該太陽光パネル設置材上で裁置する太陽光パネルの両端を把持するパネル固定部材と、からなる。
また、本願請求項２に係る発明は、前記請求項１に記載の国際標準化機構規格コンテナ屋太陽光パネル設置台において、並置される前記基本部材と、当該基本部材の中央部間を接合する上部溝開口のC型チャンネル材の接合部材と、からなる。
さらに、本願請求項３に係る発明は、陸屋根設置太陽光パネル設置台において、上部溝開口のC型チャンネル材の前記固定レール部材及び前記(3)(4)を備えて並置される基本部材と、(5)前記固定レール部材下に配置される陸屋根接着固定用の緩衝材と、からなる。
そして、本願請求項４に係る発明は、前記請求項３に記載の陸屋根設置太陽光パネル設置台において、並置される請求項３に記載の基本部材と、当該基本部材の中央部間を接合する上部溝開口のC型チャンネル材の接合部材と、からなる。
さらに、本願請求項５に係る発明は、前記請求項３又は請求項４に記載の陸屋根設置太陽光パネル設置台において、並置される請求項３に記載の基本部材と、(6)前記固定レール部材の各両端間及び／又は中央下部間を接合する上部溝開口のC型チャンネル材の接合部材又は両端下切削側面視π形状の上部溝開口のC型チャンネル材の下部接合部材と、(7)前記固定レール部材下及び前記π形状の下部接合部材下の陸屋根間に配置される陸屋根接着固定用の緩衝材と、からなる。
また、本願請求項６に係る発明は、片傾斜陸屋根設置太陽光パネル設置台において、上部溝開口のC型チャンネル材の固定レール部材及び固定レール部材上に複数の太陽光パネルを同傾斜で延長上に裁置する２本の同一長さの上部溝開口のC型チャンネル材の太陽光パネル設置材並びに前記(4)を備えて並置される基本部材と、からなる。
そして、本願請求項７に係る発明は、前記請求項６に記載の片傾斜陸屋根設置太陽光パネル設置台において、並置される請求項６に記載の基本部材と、当該基本部材の中央部間を接合する上部溝開口のC型チャンネル材の接合部材と、からなる。
さらに、本願請求項８に係る発明は、前記請求項７又は請求項８に記載の片傾斜陸屋根設置太陽光パネル設置台において、並置される請求項６に記載の基本部材と、(6)前記固定レール部材の各両端間及び／又は中央下部間を接合する上部溝開口のC型チャンネル材の接合部材又は両端下切削側面視π形状の上部溝開口のC型チャンネル材の下部接合部材と、(7)前記固定レール部材下及び前記π形状の下部接合部材下の陸屋根間に配置される陸屋根接着固定用の緩衝材と、からなる。
また、本願請求項９に係る発明は、前記請求項６ないし請求項８のいずれかに記載の片傾斜陸屋根設置太陽光パネル設置台において、太陽光パネル設置材上で裁置する太陽光パネルの両端を把持する前記パネル固定部材が、両端で２枚の太陽光パネルを同時に把持可能な断面両手鍋型状のパネル固定部材である。
【発明の効果】
【００１３】
本発明によれば、次の効果を有する。
（１）一種類の構成上同一の基本部材を数個準備しておけば、その基本部材を並置し、その上に太陽光パネルを裁置するだけで、きわめて容易に国際標準化機構規格コンテナ屋太陽光パネル設置台とすることができる。
（２）両端脚部のコンテナ天板との係止部部分のない前記基本部材の固定レール部材の下の陸屋根との間を接着する緩衝材を介在させて固定して、きわめて容易に陸屋根設置太陽光パネル設置台とすることができる。また、構成する部材を若干変更する程度で片傾斜陸屋根太陽光パネル設置台とすることができる。
（３）これらの設置台は共通する基本部材を使用するので、現場作業が少なく、極めて作業効率が良い。
【図面の簡単な説明】
【００１４】
【図１】図１（ａ）は、本発明の実施例１に係る国際標準化機構規格コンテナ屋太陽光パネル設置台を構成する基本部材Ａの全体構成概略図であり、図１（ｂ）は、当該基本部材Ａを２台を接合する接合部材Ｂの概略図である。
【図２】図２（ａ）は、本実施例１に係る国際標準化機構規格コンテナ屋太陽光パネル設置台の前記基本部材Ａの端部を示す部分概略図であり、図２（ｂ）は、前記太陽光パネル設置材３ａ、３ｂの上に太陽光パネルの両側を前記垂直Ｚ字状前記パネル固定部材５ａ、５ｂ、５ｃ、５ｄで挟み込み、太陽光パネルを裁置固定する概略を示す部分概略図である。
【図３】図３は、規格コンテナ屋に本実施例１に係る国際標準化機構規格コンテナ屋太陽光パネル設置台の前記基本部材Ａを６本配置し、その内の中の各二本について、前記接続部材Ｂで接続して、規格コンテナ屋に６枚の太陽光パネルを設置した設置例を示す概略図である。
【図４】図４は、本実施例２に係る陸屋根設置太陽光パネル設置台の基本部材Ａの概略図である。
【図５】図５（ａ）は、本実施例２に係る陸屋根設置太陽光パネル設置台に使用される基本部材Ａを２本と前記接合部材Ｂ２０及び新たに付加する下部接合部材３０とで接合配置する概略を示す図であり、図５（ｂ）は、前記接合部材Ｂ２０の変形である下部接合部材Ｂ３０の概略を示す図である。
【図６】図６は、実施例３に係る片傾斜陸屋根設置太陽光パネル設置台に使用される基本部材Ａ２の概略側面を示す図である。
【図７】図７（ａ）は、実施例４に係る陸屋根設置太陽光パネル設置台の基本部材Ａ３の概略側面図であり、図７（ｂ）は、同基本部材Ａ３に使用される２枚の太陽光パネルを同時に係止する変形した断面両手鍋型状のパネル固定部材５ｂｃの概略図である。
【図８】図８は、実用新案登録第３１８９９９８号公報添付図８として、ISO規格の２０フィートコンテナの概略を示す図である。
【図９】図９は、同規格コンテナ１００の天板(屋板）上に設置される実用新案登録第３１８９９９８号に開示考案の実施例１を示す概略図である。
【発明を実施するための形態】
【００１５】
本発明に係る国際標準化機構規格コンテナ屋太陽光パネル設置台及びその部材を実施するための一実施例を図面に基づき詳細に説明する。
【実施例１】
【００１６】
本実施例１に係る国際標準化機構規格コンテナ屋太陽光パネル設置台は、複数の前記基本部材Ａ及びこれら基本部材Ａを前記接合部材Ｂとで組み合わせて併置し、それらの部材Ａ・Ｂ上に複数の太陽光パネルを設置可能とするものである。
【００１７】
図１（ａ）は、本発明の実施例１に係る国際標準化機構規格コンテナ屋太陽光パネル設置台を構成する基本部材Ａの全体構成概略図であり、図１（ｂ）は、当該基本部材Ａを２台を接合する接合部材Ｂの概略図である。以下、前記基本部材Ａ(図１（ａ））及び前記接合部材Ｂ（図１（ｂ））の各構成の詳細を各図面に基づいて説明する。図１（ａ）において、符号１は、本実施例１に係る国際標準化機構規格コンテナ屋太陽光パネル設置台の基本部材Ａであり、２は、上面に溝が設けられた所定の幅・長さ・高さのＣ型チャンネル形状の固定レール部材、３ａ、３ｂは、太陽光パネル設置材、４ａ１、４ａ２、４ｂ１、４ｂ２、４ｃ１、４ｃ２、４ｄ１、４ｄ２は、傾斜支持板、５ａ、５ｂ、５ｃ、５ｄは、パネル固定部材、６ａ、６ｂ、６ｃ、６ｄは、パネル固定ボルト、７ａ、７ｂ、７ｃ、７ｄは、同パネル固定ナット、８ａ、８ｂは、コンテナ天板係止部、９ａ、９ｂは、コンテナ係止部調節金具、１０ａ、１０ｂは、コンテナ係止ボルト、１１ａ、１１ｂは、金具調節ナット、１２ａ、１２ｂ、１３ａ、１３ｂは、係止部支持ナット、１４ａ、１４ｂ，１５ａ、１５ｂは、係止部調節ナットである。
【００１８】
さらに、図１（ｂ）において、符号１７は、中央接合ボルト、１８は、同接合ナット、２０は、上面に溝が切られた所定の幅・長さ・高さの断面方形のＣ型チャンネル形状の接合部材Ｂであり、前記基本部材Ａの前記固定レール部材２の中央にて固定配置される。
【００１９】
そして、本実施例１に係る国際標準化機構規格コンテナ屋太陽光パネル設置台を構成する基本部材Ａの前記固定レール部材２は、規格コンテナ１００の幅の長さ及び／又は裁置する太陽光パネルの幅及び／又は長さに対応する長さの上面に溝が切られたＣ型方形チャンネル部材からなり、その上に設置する前記太陽光パネル設置材３ａ、３ｂを当該固定レール部材２に固定する前記パネル固定ボルト６ａ、６ｂ、６ｃ、６ｄと前記パネル固定ナット７ａ、７ｂ、７ｃ、７ｄ及び前記パネル固定部材５ａ、５ｂ、５ｃ、５ｄにより、太陽光パネルを前記太陽光パネル設置材３ａ、３ｂ上に容易に配置可能とする。
【００２０】
本実施例１に係る国際標準化機構規格コンテナ屋太陽光パネル設置台を構成する基本部材Ａの前記固定レール部材２のＣ型チャンネル材としては、日新製鋼社製溶融亜鉛めっき鋼材（材質「ＺＡＭ(登録商標）」）チャンネル材（型番ＭＳＭ−ＨＫ４００−ＤＺＣ１９０）等が使用されるが、これに限るものではなく、アルミ製、鋼製その他の材質のものが使用され（以下の接合部材Ｂについても同様である。）、本実施例１においては、使用する太陽光パネルサイズ１６５０ｍｍ×９９２ｍｍ×４０ｍｍを想定し、このサイズの太陽パネルに対し、２４３０ｍｍ×６０ｍｍ×３０ｍｍで上面に４０ｍｍの溝を有するＣ型チャンネル材を使用したが、これらに限るものではない。
【００２１】
また、本実施例１に係る国際標準化機構規格コンテナ屋太陽光パネル設置台を構成する基本部材Ａの前記固定レール部材２は、同固定レール部材２の両端に開けられたボルト穴（図示外）に挿通される前記コンテナ係止ボルト１０ａ、１０ｂで規格コンテナ１００の側壁１００ａ凹部の天板に前記コンテナ天板係止部８ａ、８ｂ及び前記コンテナ係止部調節金具９ａ、９ｂで挟み込み、前記金具調節ナット１１ａ、１１ｂ、前記係止部支持ナット１２ａ、１２ｂ、１３ａ、１３ｂ及び前記係止部調節ナット１４ａ、１４ｂ，１５ａ、１５ｂにより、規格コンテナ１００の天板の厚さに対応した位置に固定される。
【００２２】
また、前記太陽光パネル設置材３ａ、３ｂは、前記固定レール部材２の上に所定長さの前記傾斜支持板４ａ１、４ａ２、４ｂ１、４ｂ２、４ｃ１、４ｃ２、４ｄ１、４ｄ２により両側を挟み込まれて傾斜を維持して配置される上面に溝が設けられた所定の幅・長さ・高さのＣ型チャンネル形状の方形パイプであり、本実施例１に係る国際標準化機構規格コンテナ屋太陽光パネル設置台を構成する基本部材Ａにおいては、２本の同一長さの前記太陽光パネル設置材３ａ、３ｂとする。
【００２３】
さらに、当該前記太陽光パネル設置材３ａ、３ｂ上に前記垂直Ｚ字形状の前記パネル固定部材５ａ、５ｂ、５ｃ、５ｄにより、当該太陽光パネル設置材３ａ、３ｂの上に太陽光パネルの両側を挟み込み、太陽光パネルを裁置固定する。なお、前記パネル固定部材５ａ、５ｂ、５ｃ、５ｄは、太陽光パネルに穴開けすることなく設置することができ、その取り付け位置は、設置する太陽光パネルの大きさ寸法により予め設定される。
【００２４】
また、前記傾斜支持板４ａ１、４ａ２、４ｂ１、４ｂ２、４ｃ１、４ｃ２、４ｄ１、４ｄ２は、太陽光パネルの傾斜を維持するため所定の長さの板からなり、本実施例１に係る国際標準化機構規格コンテナ屋太陽光パネル設置台においては、図１（ａ）に示すように、中央部を中心に山型状の両傾斜を確保するために、中央部に配置される前記傾斜支持板４ｂ１、４ｂ２は、端部に配置される前記傾斜支持板４ａ１、４ａ２より長く形成され、各傾斜支持板４ａ１、４ａ２、４ｂ１、４ｂ２、４ｃ１、４ｃ２、４ｄ１、４ｄ２は、前記固定レール部材２及び前記太陽光パネル設置材３ａ、３ｂに対し、側面にビス留めされる。図１（ａ）において、各傾斜支持板４ａ１、４ａ２、４ｂ１、４ｂ２、４ｃ１、４ｃ２、４ｄ１、４ｄ２にの上下に点状に配置されるのがビスである。
【００２５】
なお、中央部に配置される前記傾斜支持板４ｂ１、４ｂ２は、後述する前記接合部材Ｂ(符号２０）の接合を考慮して，前記固定レール部材２の中央部に所定の間隔を開けて配置され、各傾斜面は、本実施例１に係る国際標準化機構規格コンテナ屋太陽光パネル設置台においては、設置する太陽光パネルの表面ガラス面への汚れが付きにくい４度とする。本実施例１に係る本実施例１に係る国際標準化機構規格コンテナ屋太陽光パネル設置台においては、規格コンテナ１００の幅方向の中央部が高くなるいわゆる山型形状とし、それぞれの傾斜角度が規格コンテナ１００の天板１０１に対して４度としたが、角度を限る趣旨ではなく、設置場所の緯度等で決定される太陽の高度角に依存する。
【００２６】
すなわち、本実施例１に係る国際標準化機構規格コンテナ屋太陽光パネル設置台は、同一の下記構成からなる基本部材Ａを並置して（前記「接合部材Ｂ」２０は使用しない）、その上に複数の太陽光パネルを裁置・接合する太陽光パネル設置台であって、当該基本部材Ａは、(1)前記規格コンテナの凹凸状側壁の凹部の天板露出部にコンテナの両側から嵌入して固定するコンテナ天板固定係止部と、(2)両端下に前記コンテナ天板係止部を有し、上記コンテナの幅方向に配置する上部溝開口のC型チャンネル材の固定レール部と、(3)太陽光パネルを裁置し、前記固定レール部材上中央に側面視山型状の傾斜の上部溝開口のC型チャンネル材の太陽光パネル設置材と、(4)当該太陽光パネル設置材上で裁置する太陽光パネルの両端を把持するパネル固定部材と、からなる。したがって、一種類の前記基本部材Ａを数個準備しておけば、その基本部材Ａを並置し、その上に太陽光パネルを裁置するだけで、きわめて容易に国際標準化機構規格コンテナ屋太陽光パネル設置台とすることができる。
【００２７】
次に、本実施例１に係る国際標準化機構規格コンテナ屋太陽光パネル設置台を強固にする接合部材Ｂについて説明する。
接合部材Ｂは、基本的には、隣り合う二本の前記基本部材Ａ同士を接合するための部材である。すなわち、本実施例１に係る国際標準化機構規格コンテナ屋太陽光パネル設置台においては、二つの前記基本部材Ａを直角に接合するためのものであり、その長さは上部に設置する太陽光パネル幅や規格コンテナ１００の長さによって定まるサイズである。また、前記固定レール部材２と同様に断面Ｃ型チャンネル形状のチャンネル材からなり、設けられる溝を上面にして用いられ、前記固定レール部材２の溝内の座金(図示外）を介して上方に延設されるＣ型チャンネル材の下面に開口するねじ穴に前記中央接合ボルト１７が挿通され、前記接合ナット１８により接続される。
【００２８】
本実施例１に係る国際標準化機構規格コンテナ屋太陽光パネル設置台では、前記基本部材Ａを複数立設して配置し、それらの複数の基本部材Ａの上に太陽光パネルを裁置し、当該太陽光パネル自体を基本部材Ａに固定させて、所定サイズの複数枚の太陽光パネルの設置台として構成することも可能であるが、強度向上のため、前記接合部材Ｂにより隣り合う前記基本部材Ａ同士を接合して強度を高め、倒れにくくする。
【００２９】
したがって、この場合には、本実施例１に係る国際標準化機構規格コンテナ屋太陽光パネル設置台は、並置される前記基本部材Ａと、当該基本部材Ａの中央部間を接合する上部溝開口のC型チャンネル材の接合部材とから構成される。
【００３０】
次に、前記コンテナ天板係止部８ａ、８ｂの詳細を図面に基づき説明する。前記コンテナ天板係止部８ａ、８ｂは、規格コンテナ１００の天板１０１に対し，コンテナ側壁１００ａの凹部部分に側方から天板１０１の露出部分を挟み込んで前記基本部材Ａ１をコンテナ１００の天板１０１に固定する部材である。
【００３１】
図２（ａ）は、本実施例１に係る国際標準化機構規格コンテナ屋太陽光パネル設置台の前記基本部材Ａの端部を示す部分概略図であり、図２（ｂ）は、前記太陽光パネル設置材３ａ、３ｂの上に太陽光パネルの両側を前記垂直Ｚ字状前記パネル固定部材５ａ、５ｂ、５ｃ、５ｄで挟み込み、太陽光パネルを裁置固定する概略を示す部分概略図である。図２（ａ）（ｂ）において、符号２１は、太陽光パネル、２２は、規格コンテナ１００の天板であり、その余の符号は、図１に示した同一の部材であり、同一の符号で示し、片側の端部であることから図１（ａ）（ｂ）と異なり、符号ａ又はｂは省略して示した。
【００３２】
図２（ａ）から明らかなように、前記コンテナ天板係止部８は、コの字状のクランプ部材であり、その内部に移動可能に前記コンテナ係止部調節金具９が配置され、これらの配置位置は、前記金具調節ナット１１、前記係止部支持ナット１２、１３及び前記係止部調節ナット１４、１５を調節することにより、その間の間隔を調節できるように構成される。そして、当該コンテナ天板係止部８の横幅は規格コンテナ１００の横壁凹部に嵌入でき、かつ、固定に際し、ぐらつくなどのない幅と厚さ並びに締付力を有する。なお、当該コンテナ天板係止部８の全体の横幅が、規格コンテナ１００の側壁１００ａ凹部に入り込む幅であることは必ずしも要せず、規格コンテナ１００の側壁凹部に嵌入するコンテナ天板係止部８の下端の横幅の中央先端が当該凹部に嵌入される幅の凸部を有するコンテナ天板係止部８であっても良いことは言うまでもない。すなわち、嵌入端及びその両端が規格コンテナ１００の側壁凹部に対応して凹部のみならず規格コンテナ１００の側壁の凹凸形状に対向して嵌入するコンテナ天板係止部８の下端であっても良いものである。
【００３３】
そして、前記コンテナ天板係止部８が、規格コンテナ１００の側壁凹部の天板２２への係止は、図２（ａ）に示すように、前記規格コンテナ１００の側壁凹部の天板２２に前記コンテナ天板係止部８を矢印方向に挿入し、前記コンテナ係止部調節金具９の取り付け位置を調節して、規格コンテナ１００の側壁凹部の天板２２の露出部が前記コンテナ天板係止部８及び前記コンテナ係止部調節金具９で挟み込まれ、前記金具調節ナット１１、前記係止部支持ナット１２、１３ｂ及び前記係止部調節ナット１４、１５を調節することにより、当該コンテナ天板係止部８を規格コンテナ１００の天板部分にしっかりと固定配置される。この係止による配置を前記基本部材Ａの両端のみならず設置本数全ての基本部材Ａの端部について、対応する規格コンテナ１００の側壁凹部のコンテナ天板２２に固定する。
【００３４】
次に、図２（ｂ）に基づき、前記太陽光パネル設置材３ａ、３ｂの上に太陽光パネル２１の設置について説明する。
まず、規格コンテナ１００の側壁凹部の天板捕捉して固定された前記固定レール部材２の上に所定の傾斜が維持された前記太陽光パネル設置材３が配置される。これらの固定レール部材２及び太陽光パネル設置材３は、いずれも前記固定レール部材２と同じ材質の１１２０ｍｍ×６０ｍｍ×３０ｍｍのＣ型チャンネル材が使用され、図２（ｂ）に示されるように、溝幅４０ｍｍの溝が上面となるように配置される。すなわち、前記固定レール部材２の上面溝上に前記太陽光パネル設置材３の底面が位置し、溝上面が上となるように配置される。このようなＣ型チャンネル材を使用するのは、軽量であることに加え、上面溝に容易に固定用の部材を挿入し、ボルト等で締め付けることにより、位置移動が容易であり、かつ、容易に配置を設置場所に適合できるからである。
【００３５】
図２（ｂ）に示すように、前記固定レール部材２は、上述してきた前記コンテナ係止ボルト１０で規格コンテナ１００の側壁凹部の天板に固定される。このため、前記固定レール部材２の両端には当該コンテナ係止ボルト１０を挿通させるためのボルト穴（図示外）が設けられる。また、当該固定レール部材２と所定の傾斜を維持して当該固定レール２上に配置される前記太陽光パネル設置材３との間は、前記傾斜支持板（図示外）によって傾斜が確保され、かつ、傾斜を維持しつつ前記固定レール部材２にしっかりと固定される。
【００３６】
また、前記太陽光パネル設置材３も上面に溝が形成されたＣ型チャンネル材によって構成されるので、当該溝内に前述する垂直Ｚ字形状の前記パネル固定部材５の底部にチャンネル材の溝を固定部材（図示外）により係合させるので、太陽光パネル２１のサイズに容易に適合させて両側（傾斜の前後方向）から太陽光パネル２１の上端をしっかりと挟み込んで係合する。この場合において、前記パネル固定部材５による太陽光パネル２１の固定は、太陽光パネル２１に穴開けすることなく設置することができ、その取り付け位置は、Ｃ型チャンネル材の溝を容易に摺動する前記固定部材（図示外）と前記パネル固定部材５により容易に移動可能であるので、設置する太陽光パネル２１のサイズに応じて容易に位置決めすることができ、また、前記太陽光パネル設置材３と前記太陽光パネル２１の上端との間に太陽光パネル２１を損傷しないようにパッキング（図示外）を介在させても良い。
【００３７】
図３は、規格コンテナ屋に本実施例１に係る国際標準化機構規格コンテナ屋太陽光パネル設置台の前記基本部材Ａを６本配置し、その内の中の各二本について、前記接続部材Ｂで接続して、規格コンテナ屋に６枚の太陽光パネルを設置した設置例を示す概略図である。
【００３８】
図３において、符号１は、前記基本部材Ａであり、本実施例１に係る国際標準化機構規格コンテナ屋太陽光パネル設置台は、６本の基本部材Ａからなる。また、符号５は、前記パネル固定部材、７は、前記パネル固定ナット、８は、前記コンテナ天板係止部、２０は、前記接合部材Ｂ、２１は、太陽光パネルであり、本実施例１に係る国際標準化機構規格コンテナ屋太陽光パネル設置台においては、６枚の太陽光パネル２１が設置される。さらに，符号１００は、前記規格コンテナ、１００ａは、縦方向に凹凸形状の同規格コンテナ１００の側壁である。
【００３９】
図３から明らかなように、本実施例１に係る国際標準化機構規格コンテナ屋太陽光パネル設置台においては、縦方向に凹凸形状の同規格コンテナ１００の前記側壁１００ａの凹部の天板２２に前記コンテナ天板係止部８が嵌合・固定され、前記規格コンテナ１００の屋根（屋）の天板２２に前記基本部材Ａの端部がしっかりと固定される。また、前記太陽光パネル２１は、前記パネル固定部材５及び前記パネル固定ナット７により、複数の前記基本部材Ａの間に設置される。
【００４０】
このように配置される太陽光パネル２１は、規格コンテナ１００の天板との間に適度の間隙が設けられ、風の抵抗を受けることが軽減されると共に、何よりも設置に際しては、規格コンテナ１００の側壁１００ａの凹部に前記コンテナ天板係止部８を勘合させるだけで固定することができるので、設置の容易性、作業性が格段に向上し、また、これらの基本部材Ａ並びに接合部材Ｂは、部品点数が少なく，軽量で、各サイズも小さいので、現場搬入、組み立てやすさに利点がある。
【実施例２】
【００４１】
本発明の実施例２として、本願出願人は、実施例１に係る国際標準化機構規格コンテナ屋太陽光パネル設置台の前記基本部材Ａの両端脚部の前記コンテナ天板係止部８ａ、８ｂ、コンテナ係止部調節金具９ａ、９ｂ等を設けず、通常のビル屋上等のいわゆる陸屋根設置の太陽光パネル設置台とすることとした。
【００４２】
図４は、本実施例２に係る陸屋根設置太陽光パネル設置台の基本部材Ａの概略図であり、図４において、符号２５は、ビル屋上等水平平坦な陸屋根、２６ａ、２６ｂは、シーリングにて前記陸屋根２５に接着固定される緩衝材であるブチルゴム板材であり、その余の符号は、図１（ａ）（ｂ）に示す同一の部材は同じ符号で示した。
【００４３】
すなわち、本実施例２に係る陸屋根設置太陽光パネル設置台に使用される基本部材Ａは、上述してきた実施例１に係る国際標準化機構規格コンテナ屋太陽光パネル設置台の前記基本部材Ａの両端脚部の両端脚部のコンテナ天板２２との係止部８及びその付随部分（８〜１５）を備えることなく、その代わりに前記Ｃ型チャンネル形状の固定レール部材２の下の前記陸屋根２５との間に緩衝材たる前記ブチルゴム板材２６を介在させて固定するようにしたものである。
【００４４】
すなわち、本実施例２に係る陸屋根設置太陽光パネル設置台は、実施例１に係る国際標準化機構規格コンテナ屋太陽光パネル設置台の前記基本部材Ａと同じ上部溝開口のC型チャンネル材の固定レール部材と、太陽光パネルを裁置し、前記固定レール部材上中央に側面視山型状の傾斜の上部溝開口のC型チャンネル材の同実施例１と同じ太陽光パネル設置材と、当該太陽光パネル設置材上で裁置する太陽光パネルの両端を把持する実施例１と同じパネル固定部材と、からなる基本部材Ａを並置し、前記固定レール部材下に陸屋根接着固定用の緩衝材たる前記ブチルゴム板材２６を配置したものである。
【００４５】
なお、緩衝材たる前記ブチルゴム板材２６としては、サンスター技研社製シーリング材（商品名：ペンギンシール２５５０ＬＭ）を陸屋根２５に接着固定する。この際の接着としては、６０ｍｍ幅で１ｍｍ厚のＭＴ工業社両面ブチルテープ(型番：Ｄ１０ＦＣ−１００）を長さ５００ｍｍを前記固定レール部材２の両端に配置する。すなわち、図４に示すように、前記基本部材Ａ２の両端下に部分的に配置する６０ｍｍ×５００ｍｍ×１ｍｍの例を示したが、これは、ペンギンシールなどのブチルゴム板材に限るものではなく、前記陸屋根２５と前記固定レース材２との間で接着固定性が良く、耐熱、耐水、耐紫外線等の耐候材質のものであれば材質を問わない。
また、図４に示す例では、前記固定レール部材２の両端に部分的に前記ブチルゴム板材２６を配置したが、これは固定レール部材２の下に当該固定レール部材２に沿って全面に渡って配置しても良い。
【００４６】
次に、図４に示す２本の本実施例２に係る陸屋根設置太陽光パネル設置台の基本部材Ａを上部溝開口のC型チャンネル材の前記接合部材Ｂ２０を用い、さらには、接合部材Ｂ２０の変形である両端下切削側面視π形状の上部溝開口のC型チャンネル材の下部接合部材Ｂ３０を用いる場合の概略を図面に基づいて説明する。
【００４７】
図５（ａ）は、本実施例２に係る陸屋根設置太陽光パネル設置台に使用される基本部材Ａを２本と前記接合部材Ｂ２０又は新たに付加する下部接合部材Ｂ３０とで接合配置する概略を示す図であり、図５（ｂ）は、前記接合部材Ｂ２０の変形である下部接合部材Ｂ３０の概略を示す図である。図５（ａ）（ｂ）において、Ｂ３０は、前記ブチルゴム板材２６を介して前記陸屋根２５に直接接する新たに設けられる下部接合部材である。その余の符号は、図４に示した同一の部材は同一の符号で示す。
【００４８】
まず、本実施例２に係る陸屋根設置太陽光パネル設置台に使用される基本部材Ａの各両端間及び／又は山型下の中央部間には，これらの間を接合し、かつ、陸屋根に接着固定されて、本実施例２に係る陸屋根設置太陽光パネル設置台を支える下部接合部材Ｂ３０を配置する。当該下部接合部材Ｂ３０は、図５（ｂ）に示すように、側面視両端下方が切り削られた側面視π状の形状であり、各両端の突出部が前記固定レール部材２の各両端及び／又は中央部を係合して、２本の基本部材Ａ間を支持固定する。
【００４９】
そして、本実施例２に係る陸屋根設置太陽光パネル設置台は、２本の並置される前記基本部材Ａ間の各両端及び／又は中央を陸屋根２５に接して固定可能な前記下部接合部材Ｂ３０が配置され、前記固定レール部材２及び前記下部接合部材Ｂ３０の下面に前記ブチルゴム板材２６を全面又は部分的に配置する。したがって、本実施例２に係る陸屋根設置太陽光パネル設置台は、前記基本部材Ａを接合部材Ｂ２０、Ｂ３０で組み立てられて構造上強固になり、陸屋根２５との接触面積も増加するので強度が向上する。
【００５０】
すなわち、図５（ａ）（ｂ）から明らかなように、本実施例２に係る陸屋根設置太陽光パネル設置台は、前記陸屋根２５上にシーリング材によってしっかりと固定された前記ブチルゴム板材２６の上に前記基本部材Ａ２及びこれらの間の接合部材Ｂ２０及び／又は及び下部接合部材Ｂ３０の組み合わせからなる太陽光パネル設置台である。
【００５１】
基本部材Ａは、両端のコンテナとの係止部８〜１５を具備しない基本形態であり、この基本部材Ａを複数個、それらを前記接合部材Ｂ２０及び／又は前記下部接合部材Ｂ３０と適宜組み合わせて陸屋根２５上に設置して、必要枚数の太陽光パネル２１を陸屋根２５上に設置可能とするものである。
基本形態の基本部材Ａ並びに接合部材Ｂ２０及び／又は下部接合部材Ｂ３０を適宜組み合わせることにより、規格コンテナ屋よりさらに広い範囲の陸屋根２５上に複数枚の太陽光パネルを設置でき、その場合に、基本形態の基本部材Ａ及び接合部材Ｂ２０及び／又は下部接合部材Ｂ３０のみを予め準備すれば良いので、部品点数が軽減され、組立工程が簡素化されるので、作業効率の軽減を図ることができるという利点を有する。
【実施例３】
【００５２】
本発明の実施例３は、陸屋根２５設置を前提として、中央部を中心とする山型状の両傾斜の基本部材Ａを使用する太陽光パネル設置台ではなく、複数枚の太陽光パネルの全体として所定の傾斜（４度）を有する片傾斜陸屋根設置太陽光パネル設置台とするものである。
【００５３】
図６は、実施例３に係る片傾斜陸屋根設置太陽光パネル設置台に使用される基本部材Ａ２の概略側面を示す図であり、２枚の太陽光パネル２１が、中央部で山型に形成されるようにするのではなく、２枚の太陽光パネル２１，２１が、片方（例えば、太陽照射方向）に連続した傾斜（例えば、傾斜４度）となるようにしたものである。図６において、Ａ２は、片傾斜構造の基本部材であり、４ｃ’及び４ｄ’は、片傾斜に対応する長さの傾斜支持板である。
【００５４】
すなわち、本実施例３に係る片傾斜陸屋根設置太陽光パネル設置台の基本部材Ａ２は、実施例１に係る陸屋根設置太陽光パネル設置台に使用される基本部材Ａの前記傾斜支持板４ａ、４ｂ、４ｃ、４ｄのうちの傾斜支持板４ｃ、４ｄについて、新たな傾斜支持板４ｃ’４ｄ’としたものである。すなわち、新たな傾斜支持板４ｃ’は、前記傾斜支持板４ｂより長く、また、新たな傾斜支持板４ｄ’は、当該傾斜支持板４ｃ’より、さらに長い傾斜支持板とする。これらの傾斜支持板４ｃ’、４ｄ’について、前記太陽光パネル設置材３ａ、３ｂ及び前記固定レール部材２への取り付け方法は、実施例１又は実施例２で示す取り付け方法と同じく、２枚一組の新たな傾斜支持板４ｃ’、４ｄ’を上面に溝が設けられた所定の幅・長さ・高さのＣ型チャンネル形状の方形パイプである前記固定レール部材２及びその上に配置される太陽光パネル設置材３’の両側にそれぞれの傾斜を維持しつつ挟み込み、側面にビス留め配置される。
【００５５】
すなわち、本実施例３に係る片傾斜陸屋根設置太陽光パネル設置台の基本部材Ａ２は、上述同様の上部溝開口のC型チャンネル材の固定レール部材及び当該固定レール部材上に複数の太陽光パネルを同傾斜で裁置する２本の同一長さの上部溝開口のC型チャンネル材の太陽光パネル設置材並びに前記(4)を備えて並置される基本部材Ａ２を立設並置し、並置した基本部材Ａ２の前記固定レール部材２の下に陸屋根接着固定用の緩衝材たる前記ブチルゴム板材２６を配置したものである。
【００５６】
本実施例３に係る片傾斜陸屋根設置太陽光パネル設置台に使用される基本部材Ａ２によれば、単に，前記傾斜支持板４ｃ及び４ｄの長さが変わる前記傾斜支持板４ｃ’、４ｄ’とするだけであるので、容易に片傾斜の太陽光パネル設置台とすることができ、部品点数の増加を伴うことなく、片傾斜の太陽光パネル設置台とすることができ、また、それに伴う組立作業に大きな変更はなく、作業効率の点でもすぐれていることは変わらない。すなわち、長さの異なる２枚一組の前記傾斜支持板４ｃ’、４ｄ’を常時持ち合わせていれば、現場作業で取り替えるだけで、容易に片傾斜の図６に示す形態の陸屋根設置太陽光パネル設置台とすることができる。
【００５７】
なお、接合部材Ｂ２０及び／又は接合部材Ｂ３０を使用して，これらと基本部材Ａ２との組み合わせて陸屋根設置太陽光パネル設置台とする点、及び前記陸屋根２５上にシーリング接着固定したブチルゴム板材２６で固定する等前述の実施例２に係る陸屋根設置太陽光パネル設置台と同じである。
【実施例４】
【００５８】
本実施例４に係る陸屋根設置太陽光パネル設置台の概略を図面に基づいて説明する。図７（ａ）は、本実施例４に係る陸屋根設置太陽光パネル設置台の基本部材Ａ３の概略側面図であり、図７（ｂ）は、同基本部材Ａ３に使用される２枚の太陽光パネルを同時に係止する変形した断面両手鍋型状のパネル固定部材５ｂｃの概略図である。図７（ａ）（ｂ）において、２’は、実施例３に係る陸屋根設置太陽光パネル設置台の基本部材Ａ４の前記固定レール部材、３’は、同太陽光パネル設置材、５ｂｃは、２枚の太陽光パネルを同時に係止する変形した断面両手鍋型状のパネル固定部材、６ｂｃは、パネル固定ボルト、７ｂｃは、パネル固定ナットである。
【００５９】
図７（ａ）（ｂ）から明らかなように、本実施例４に係る陸屋根設置太陽光パネル設置台の基本部材Ａ３は、実施例３に係る陸屋根設置太陽光パネル設置台の基本部材Ａ２に似た片傾斜形態であるが、実施例３に係る陸屋根設置太陽光パネル設置台の基本部材Ａ２と異なり、(1)２枚の太陽光パネル２１の間に開口する間隙を有しないこと、(2)２枚の太陽光パネルを同時に係止する変形したパネル固定部材５ｂｃを使用すること、(3)実施例３に使用されるものより短い連続する一本の太陽光パネル設置材３’が使用されること、(4)短い固定レール部材２’が使用されることである。前記固定レール部材２’及び前記太陽光パネル設置材３’は実施例３に使用されるものに比し短いので、全体としての奥行きが短く，コンパクトな構造となり、また、２枚の太陽光パネル間の開口間隙を設けないので、一体的な強固な構造となる。
【産業上の利用可能性】
【００６０】
本発明は、国際標準化機構規格コンテナ屋太陽光パネル設置台及びその部材並びに陸屋根よう太陽光パネル設置台に利用される。
【符号の説明】
【００６１】
１ 実施例１に係る国際標準化機構規格コンテナ屋太陽光パネル設置台の基本部材Ａ
２ 固定レール部材
３ 太陽光パネル設置材
３ 実施例
３ 本実施例
３、３ａ、３ｂ、３’ 太陽光パネル設置材
４、４ａ〜４ｄ、４ｃ’、４ｄ’傾斜支持板
５、５ａ、５ｂ パネル固定部材
６、６ａ〜６ｄ パネル固定ボルト
７、７ａ〜７ｄ パネル固定ナット
８、８ａ、８ｂ コンテナ天板係止部
９、９ａ、９ｂ コンテナ係止部調節金具
１０、１０ａ、１０ｂ コンテナ係止ボルト
１１、１１ａ、１１ｂ 金具調節ナット
１２、１２ａ、１２ｂ、１３，１３ａ、１３ｂ 係止部支持ナット
１４、１４ａ、１４ｂ 係止部調節ナット
１７ 中央接合ボルト
１８ 接合ナット
２０ 接合部材Ｂ
２１ 太陽光パネル
２２ コンテナ天板
２５ 陸屋根
２６ ブチルゴム板材
１００ 規格コンテナ
１００ａ 凹凸状側壁
１０１ 天板
１０２ コーナーポケット
１１１ 貨物コンテナ用太陽光発電パネル設置台
１１２ ベース板
１１３、・・・ 太陽光発電パネル
１１４ カバー
１１５ 間カバー
１１６、・・・ 吊り下げ孔
３１８９９９８ 実用新案登録第
Ａ 基本部材
Ａ２、Ａ３ 片傾斜基本部材
Ｂ２０ 接合部材
Ｂ３０ 下部接合部材
【図１】
2019004545.tif 000003
【図２】
2019004545.tif 000004
【図３】
2019004545.tif 000005
【図４】
2019004545.tif 000006
【図５】
2019004545.tif 000007
【図６】
2019004545.tif 000008
【図７】
2019004545.tif 000009
【図８】
2019004545.tif 000010
【図９】
2019004545.tif 000011